(57)【特許請求の範囲】
【請求項１】
入力端子と、経路切替部と、出力端子と、を有し、ギガビットイーサ信号の経路切替を実行する伝送装置において、
前記経路切替部は、前記入力端子と接続された第１のパケット識別部と、前記第１のパケット識別部と接続されたクロスコネクト部と、前記クロスコネクト部および前記出力端子と接続された第２のパケット識別部とを備え、
前記第１のパケット識別部がギャップ信号を受信したとき、このギャップ信号を拡張し、前記第２のパケット識別部がギャップ信号を受信したとき、前記クロスコネクト部は方路を切り替え、かつ前記ギャップ信号を短縮することを特徴とする伝送装置。
【請求項２】
第１の入力端子と、第２の入力端子と、経路切替部と、出力端子と、を有し、ギガビットイーサ信号の経路切替を実行する伝送装置において、
前記経路切替部は、前記第１の入力端子と接続された第１の入力系と、前記第２の入力端子と接続された第２の入力系と、前記第１の入力系および前記第２の入力系と接続されたクロスコネクト部と、前記クロスコネクト部および前記出力端子と接続された第２のパケット識別部と、制御部とから構成され、
前記第１の入力系は、第１のパケット識別部と、パターン発生器と、前記第１の識別部と前記パターン発生器との出力信号の一方を選択する第１のセレクタから構成され、
前記第２の入力系は、入力信号をデスタッフするデスタッフ処理部と、前記デスタッフ処理部の出力信号をバッファリングするメモリと、前記入力信号と前記メモリの出力信号の一方を選択する第２のセレクタから構成され、
前記制御部は、切替設定信号を受信すると、前記第１のパケット識別部でのギャップ信号受信を監視し、前記ギャップ信号を受信したとき、前記第１のセレクタの出力信号を前記第１の識別部の出力信号から前記パターン発生器の出力信号に切り替え、
また、前記第２のパケット識別部でのギャップ信号受信を監視し、前記ギャップ信号を受信したとき、前記クロスコネクト部における前記第２の識別部への方路を、前記第１の入力系から前記第２の入力系に切り替え、かつ、前記第２のセレクタの出力信号を前記入力信号から前記メモリの出力信号に切り替え、
さらに、前記第２のセレクタの入力部の前記入力信号と前記メモリの出力信号との位相が一致したとき、前記第２のセレクタの出力信号を前記メモリの出力信号から前記入力信号に切り替えることを特徴とする伝送装置。
【請求項３】
請求項１または請求項２に記載の伝送装置であって、
前記ギャップ信号を、前記ギャップ信号に含まれる信号パターンにより、判定することを特徴とする伝送装置。
【請求項４】
請求項３に記載の伝送装置であって、
前記信号パターンは、／Ｉ２／であることを特徴とする伝送装置。
【発明の詳細な説明】
【技術分野】
【０００１】
本発明は、ギガビットイーサ信号を分岐・挿入する伝送装置に係り、特に無瞬断で伝送方路を切り替える伝送装置に関する。
【背景技術】
【０００２】
近年、各家庭内へインターネットを始めとするブロードバンド回線が普及し、ＩＰトラフィックを中心として回線需要が増大している。これに応じて、これまでＷＡＮの主流であったＳＯＮＥＴ／ＳＤＨ、ＡＴＭなどに代わり、高速で安価なギガビットイーサネット（登録商標）が急速に市場に普及している。
【０００３】
ギガビットイーサは、オフィス内のＬＡＮ（Local Area Network）で広く使用されているファストイーサネット規格とＯＳＩ（Open Systems Interconnection）参照モデルにおける第２層（レイヤ２）で互換性のある規格である。ギガビットイーサ信号の種別は、大きく２つに分けられ、伝送媒体として光を使用する１０００ＢＡＳＥ−Ｘと伝送媒体としてカテゴリー５以上のＵＴＰ（Unshielded Twisted Pair）ケーブルを使用する１０００ＢＡＳＥ−Ｔがある。特に前者の１０００ＢＡＳＥ−Ｘは、伝送距離の点で有利であることや、光素子も安価に入手可能であることから、アクセス面から幹線面に至るまで広く市場に普及している。
【０００４】
ここで、ギガビットイーサ信号についてより詳しく説明すると、ギガビットイーサ信号ではユーザデータは、ＩＥＥＥ８０２．３ｚ（非特許文献１） ｓｅｃｔｉｏｎ ２〜３で規定されているＭＡＣフレームにより伝送され、この点では１０ＢＡＳＥ−Ｔ（データ速度：１０ Ｍｂｉｔ／ｓ）や１００ＢＡＳＥ−Ｔ（データ速度：１００Ｍｂｉｔ／ｓ）などのイーサネット信号と同じである。しかし、データ速度が１Ｇｂｉｔ／ｓであるギガビットイーサ信号では、物理層の符号としてＩＥＥＥ８０２．３ｚ ｓｅｃｔｉｏｎ ３６．２に規定される８Ｂ１０Ｂ符号が用いられる。
【０００５】
この８Ｂ１０Ｂ符号には、コードグループ名が「Ｄｘｘ．ｘ」で表される２５６種のデータと、コードグループ名が「Ｋｘｘ．ｘ」で表される１２種の特殊符号が定義されている。このデータと特殊符号とを組み合わせた符号（オーダセット）は、ＭＡＣフレームとＭＡＣフレームの間のＩＦＧ（Inter Ｆrame Gap）のような無信号状態を示す「／Ｉ／」やＭＡＣフレームの先頭位置やフレーム終了を示すフラグ（／Ｓ／、／Ｒ／、／Ｔ／）などに用いられる。特許文献１の第２図（以下単に第２図と記載）には、各オーダセットとその意味が記載されている。このオーダセットのひとつに「コンフィグレーション（／Ｃ１／または／Ｃ２／）」と呼ばれる符号がある。コンフィグレーションは、接続されている装置間で自装置の動作モードや状態を交換し合うオートネゴシエーション（自動折衝）を行う際に用いられる符号である。オートネゴシエーションは、ＩＥＥＥ８０２．３ｚ， ｓｅｃｔｉｏｎ ３７に規定されている機能である。
【０００６】
特許文献１の第１図にＩＥＥＥ８０２．３ｚで規定されている８Ｂ１０Ｂ符号表の一部が記載されている。８Ｂ１０Ｂ符号とは、８ビットデータを第１図のような規定の変換表に従い１０ビットデータに変換する符号の事で、ひとつの８ビットデータに対して、「０」の数が多い（または等しい）１０ビットデータ列と「１」の数が多い（または等しい）１０ビットデータ列の２種類のデータが定義され、「０」と「１」の数の比率がどちらかに著しく偏っているパターンは使用していない。そして、８Ｂ１０Ｂ符号は、符号化直前までに出力した符号語列に含まれる「０」または「１」の累積個数差（ＲＤ：Running Disparity）に応じて「０」が多い（または等しい）データと「１」が多い（または等しい）データの２種類のデータパタンを使い分ける事で「０」と「１」の数がほぼ等しくなるようにバランスをとりながら符号化する技術である。具体的には、それまでの累積個数で「１」が多ければＲＤ値は「＋」であるとし、第２図の８Ｂ１０Ｂ符号表にあるＣｕｒｒｅｎｔ ＲＤ ＋側のデータを送出し、累積個数で「０」が多ければＲＤ値は「−」であるとして、第２図の８Ｂ１０Ｂ符号表にあるＣｕｒｒｅｎｔ ＲＤ −側のデータを送出する事により実現している。
【０００７】
例えば、「００００１０１０」の８ビットデータは、それまでの累積個数で「０」が多い（つまりＲＤが「−」である）場合は、「０１０１０１ １０１１」の１０ビットデータへ変換され、それまでの累積個数で「１」が多い（つまりＲＤが「＋」である）場合は、「０１０１０１ ０１００」の１０ビットデータへ変換される。受信側ではこのＲＤ値の規則が守られているかをチェックする事によりデータ誤りの有無を検出可能である。
【０００８】
ここで、特にＩＦＧのＲＤ則について説明する。ＩＦＧを構成するコードクループは、「／Ｉ１／」と「／Ｉ２／」に分けられる。「／Ｉ１／」は、ＩＦＧとなる直前のＲＤが「＋」であった場合に、挿入され、「／Ｉ１／」のコード後は、ＲＤは反転し、必ず「−」となる。「／Ｉ２／」はＩＦＧとなる直前のＲＤが「−」であった場合、あるいは、「／Ｉ１／」のコード後に挿入され、「／Ｉ２／」のコード後は、ＲＤは必ず「−」となる。つまり、ＩＦＧは、直前のＲＤ値によって「／Ｉ１／」が挿入されることはあっても、ＩＦＧの最後には必ず、「／Ｉ２／」となるため、ＲＤは「−」となる。
【０００９】
特許文献１の第３図には、ＩＥＥＥ８０２．３ｚに規定されるＭＡＣフレームのフォーマットおよびＭＡＣフレームを８Ｂ１０Ｂ符号化して生成されたギガビットイーサ信号のフォーマットが記載されている。ＭＡＣとは、ＯＳＩ参照モデルの第２層（レイヤ２）に属するプロトコルのことであり、そのプロトコルのやり取りはＩＥＥＥ８０２．３ｚに規定されている。また、プロトコルのやり取りを行う際のフレームをＭＡＣフレームと呼ぶ。ＭＡＣフレームの役割は、ＯＳＩ参照モデルの第３層（レイヤ３）以上のプロトコルやデータをＭＡＣフレームのデータ領域に格納し、この格納されたレイヤ３以上のプロトコルを確実に目的の端末へ伝送することである。
【００１０】
第３図において、ＭＡＣフレームは、ＭＡＣフレームの先頭を示すプリアンブル（８バイト）と、宛先の端末のＭＡＣアドレスを示す宛先アドレス（６バイト）と、ＭＡＣフレームを送信する端末のＭＡＣアドレスを示す送信元アドレス（６バイト）と、ＭＡＣフレームの長さなどを示すＴｙｐｅ／Ｌｅｎｇｔｈ（２バイト）と、データ領域（可変長）およびチェックサム値（４バイト）とで構成される。そのＭＡＣフレームとＭＡＣフレームの間にはＩＦＧと呼ばれる無信号状態を表すデータ（最低１２バイト以上）が流れている。このような８ビット単位のイーサネット信号のデータ列に対して各バイト単位に１０ビットのデータ列へ変換（８Ｂ１０Ｂ符号化）されたものがギガビットイーサ信号となる。
【００１１】
具体的には、各バイトの８ビットはそれぞれ１０ビットのデータ列（符号語：コードグループ）、またはその集合体であるオーダセットへ置換され、ＩＦＧを／Ｉ／（アイドル）へ、ＭＡＣフレームの先頭のバイトを／Ｓ／へ、プリアンブル、宛先アドレス、送信元アドレス、Ｔｙｐｅ／Ｌｅｎｇｔｈ、データ、チェックサム値（ＦＣＳ：Frame Check Sequence）はそれぞれ２５６種の／Ｄ／（データ）へ、ＭＡＣフレームの直後のバイトは／Ｔ／Ｒ／または／Ｔ／Ｒ／Ｒ／に置き換えられる。なお、ギガビットイーサ信号では、バイト毎にそれぞれ８ビット長のデータが１０ビット長のデータへ変換されるので、物理層の速度としては、１ Ｇｂｉｔ／ｓの１０／８倍、即ち１．２５ Ｇｂｉｔ／ｓとなる。
このようにギガビットイーサ信号とはＩＥＥＥ８０２．３ｚで規定されるＭＡＣフレームを８Ｂ１０Ｂ符号化したものである。
【００１２】
ギガビットイーサ信号を用いた伝送装置において、複数のギガビットイーサ信号を電気的に時分割多重することにより、回線の使用効率を高めるとともに、これらの時分割多重されたギガビットイーサ信号を任意のノードで分岐／挿入するギガビットイーサＡＤＭ（Add/Drop Multiplexer）が、回線効率とネットワーク構築の柔軟性の観点から、近年注目を集めている。ギガビットイーサＡＤＭは、装置内のクロスコネクト部で、個々のギガビットイーサ信号単位で伝送方路を切り替えることにより、収容する各ギガビットイーサ信号の分岐／挿入を行う。
【００１３】
図１を参照して、ギガビットイーサＡＤＭを用いたネットワークの構成を説明する。ここで、図１はネットワークのハードウェアブロック図である。図１において、ネットワーク１０００は、リング状に配置された時計回りに局舎１００−１と、局舎１００−３と、局舎１００−２と、局舎１００−４とで構成されている。局舎１００−１は、伝送装置２００−１と、ユーザ装置３００−Ａを含む複数のユーザ装置３００が配置されている。局舎１００−３は、伝送装置２００−３と、複数のユーザ装置３００が配置されている。局舎１００−２は、ギガビットイーサＡＤＭ５００と、ユーザ装置３００−Ｂと３００−Ｃとを含む複数のユーザ装置３００が配置されている。局舎１００−４は、伝送装置２００−４と、ユーザ装置３００−Ｄを含む複数のユーザ装置３００が配置されている。
【００１４】
ギガビットイーサＡＤＭ５００は、局舎１００−１に設置されたユーザ装置３００−Ａから送信されてきたギガビットイーサ信号をユーザの都合に応じて、局舎１００−２のユーザ装置３００−Ｂに割り当てること（実線＋破線）や、局舎１００−４のユーザ装置３００−Ｄに割り当てること（実線）、あるいは、局舎１００−４のユーザ装置３００−Ｄに割り当てる過程で、ユーザ装置３００−Ａからのギガビットイーサ信号に加えて、局舎１００−２のユーザ装置３００−Ｃからのギガビットイーサ信号を加えてユーザ装置３００−Ｄに信号を送信すること（一点鎖線＋実線）など、伝送方路を自由に組み替える。
このようにギガビットイーサＡＤＭ５００を用いることでより柔軟なネットワークの構築が可能となる。
【００１５】
一方、一般的に伝送装置は、保守運用上の観点から、伝送する信号が透過伝送することが求められる。透過伝送とは、例えば先の図１に示すネットワーク構成において、局舎１００−１に設置されたユーザ装置３００−Ａと局舎１００−２に設置されたユーザ装置３００−Ｂとの間には物理的に伝送装置２００−１と伝送装置２００−３とギガビットイーサADM５００が介在するが、論理的にユーザ装置３００−Ａとユーザ装置３００−Ｂが直接接続されている状態と等価であることを言う。具体的には、ユーザ装置３００−Ａから出力される信号のフォーマットやデータの内容を変更する事なく、そのままユーザ装置３００−Ｂへ出力する伝送の事を指す。ギガビットイーサＡＤＭのような伝送装置でも、伝送方路を切り替える際に切替による伝送エラー即ち瞬断を発生させることなく切り替えることが重要である。
【００１６】
【特許文献１】特開２００７−１１０４５７号公報
【非特許文献１】IEEE 802.3z Type 1000BASE-X MAC Parameters, Physical Layer, Repeater, and Management Parameters for 1000 Mb/s Operation
【発明の開示】
【発明が解決しようとする課題】
【００１７】
ギガビットイーサＡＤＭのクロスコネクト部で通信信号を切り替えるにあたり、伝送する信号状態を非監視で切り替えを行うと、伝送の途中でのパケットの途絶や、Ｒｕｎｎｉｎｇ Ｄｉｓｐａｒｉｔｙが保存されないことによる誤りを含むデータの流出、異なるパケットが結合することにより誤った送信先への伝送につながる。伝送装置、特に信号の透過伝送を求められる装置としては、伝送方路の切り替えの際に上記のようなデータの誤送信がないことが望まれる。
【００１８】
伝送方路の切り替え時におこる瞬断を解決するために、ＳＯＮＥＴ／ＳＤＨでは、現行系と予備系の経路差による遅延量を算出し、切り替え時にメモリより遅延時間を予備系に挿入するなど様々な方法が模索されている。しかし、ギガビットイーサ信号にて、伝送路切替に伴う瞬断を解決することは、これまでなされていなかった。
【００１９】
ＳＯＮＥＴ／ＳＤＨ信号のフレーム長が固定長であるのに対し、ギガビットイーサ信号は、パケット長およびＩＦＧ長が可変であるため、伝送データの状態をモニタし、送信データに影響しないタイミングで切り替えを行う必要がある。
【課題を解決するための手段】
【００２０】
上記課題を解決するため、クロスコネクト部の前後でギガビットイーサ信号を監視し、クロスコネクト部にてギガビットイーサ信号がＩＦＧ（信号のアイドルの状態）の「／Ｉ２／」の検出によって、伝送方路を切り替えることとした。ＩＦＧで切り替えを行うことにより、Ｒｕｎｎｉｎｇ Ｄｉｓｐａｒｉｔｙの保存、すなわち、切り替えにより、ギガビットイーサ信号が挿入された場合でも、Ｒｕｎｎｉｎｇ Ｄｉｓｐａｒｉｔｙによるデータ誤りが検出されることなく伝送方路の切り替えを実施する。
【００２１】
上述した課題は、経路切替部を有し、ギガビットイーサ信号の経路切替を実行し、前記経路切替部は、第１のパケット識別部とクロスコネクト部と第２のパケット識別部とを備え、前記第１のパケット識別部がギャップ信号を受信したとき、このギャップ信号を拡張し、前記第２のパケット識別部がギャップ信号を受信したとき、前記クロスコネクト部は方路を切り替え、かつ前記ギャップ信号を短縮する伝送装置により、達成できる。
【００２２】
また、経路切替部を有し、ギガビットイーサ信号の経路切替を実行し、前記経路切替部は、第１の入力系と、第２の入力系と、クロスコネクト部と、第２のパケット識別部と、制御部とから構成され、前記第１の入力系は、第１の識別部と、パターン発生器と、前記第１の識別部と前記パターン発生器との出力信号の一方を選択する第１のセレクタから構成され、前記第２の入力系は、入力信号をデスタッフするデスタッフ処理部と、前記デスタッフ処理部の出力信号をバッファリングするメモリと、前記入力信号と前記メモリの出力信号の一方を選択する第２のセレクタから構成され、前記制御部は、切替設定信号を受信すると、前記第１の識別部でのギャップ信号受信を監視し、前記ギャップ信号を受信したとき、前記第１のセレクタの出力信号を前記第１の識別部の出力信号から前記パターン発生器の出力信号に切り替え、また、前記第２の識別部でのギャップ信号受信を監視し、前記ギャップ信号を受信したとき、前記クロスコネクト装置における前記第２の識別部への方路を、前記第１の入力系から前記第２の入力系に切り替え、かつ、前記第２のセレクタの出力信号を前記入力信号から前記メモリの出力信号に切り替え、さらに、前記第２のセレクタの入力部の前記入力信号と前記メモリの出力信号との位相が一致したとき、前記第２のセレクタの出力信号を前記メモリの出力信号から前記入力信号に切り替える伝送装置により、達成できる。
【発明の効果】
【００２３】
本発明の無瞬断ギガビットイーサＡＤＭは、無瞬断で伝送方路の切り替えが実現するため、自由にネットワークを構築できる。
【発明を実施するための最良の形態】
【００２４】
以下本発明の実施の形態について、実施例を用い図面を参照しながら説明する。なお、実質同一部位には同じ参照番号を振り、説明は繰り返さない。
【００２５】
図２を参照して、ギガビットイーサＡＤＭの構成を説明する。ここで、図２はギガビットイーサＡＤＭのハードウェアブロック図である。図２において、ギガビットイーサＡＤＭ５００は、ｎ台のＣｌｉｅｎｔ側光モジュール５１０と、無瞬断切替装置５２０と、伝送フレーム変換部５３０と、時分割多重部５４０と、時分割分離部５５０と、Ｌｉｎｅ側光モジュール５６０とから構成される。
【００２６】
Ｃｌｉｅｎｔ側光モジュール５１０は、無瞬断切替装置５２０からの電気信号を光信号に変換してユーザ装置３００に送信する。Ｃｌｉｅｎｔ側光モジュール５１０は、またユーザ装置３００からの光信号を電気信号に変換して無瞬断切替装置５２０に送信する。
【００２７】
無瞬断切替装置５２０は、無瞬断でパスを切り替える。伝送フレーム変換部５３０は、ギガビットイーサ信号を長距離伝送用信号であるＯＴＮ（Optical Transport Network）信号にカプセル化する。また、伝送フレーム変換部５３０は、ＯＴＮ信号からギガビットイーサ信号をカプセル化解除（デカプセル化）する。
【００２８】
時分割多重部５４０は、伝送フレーム変換部５３０からのパラレル信号を時分割多重して、シリアル信号をＬｉｎｅ側光モジュール５６０に送信する。時分割分離部５５０は、Ｌｉｎｅ側光モジュール５６０からのシリアル信号を時分割分離して、パラレル信号を伝送フレーム変換部に送信する。
【００２９】
Ｌｉｎｅ側光モジュール５６０は、時分割多重部５４０からのシリアル電気信号を光信号に変換して、他の伝送装置に送信する。Ｌｉｎｅ側光モジュール５６０は、また他の伝送装置からの光信号を電気信号に変換して、時分割分離部５５０に送信する。
【００３０】
図３を参照して、無瞬断切替装置の構成と切替動作を説明する。ここで、図３は無瞬断切替装置のハードウェアブロック図である。ここでは、入力信号１が出力信号１として出力される現行系から入力信号Ｎが出力信号１として出力される予備系に伝送方路の切替を行うものとし、入力信号１と入力信号Ｎは全く同一のデータとする。
【００３１】
図３において、無瞬断切替装置５２０Ａは、図２の無瞬断切替装置５２０の片方向のみを示している。また、無瞬断切替装置５２０Ａは、ｎ台のパケット識別部Ａ５２１と、ｎ台のデスタッフ処理部５２３と、ｎ台のメモリバッファ５２４と、ｎ台のＩＦＧパターン発生器５２２と、ｎ台のセレクタ５２５と、クロスコネクト部（ＸＣ部）５２６と、ｎ台のパケット識別部Ｂ５２８と、切替制御部５２７とから構成される。
【００３２】
セレクタ５２５は、パケット識別部Ａ５２１の出力とＩＦＧパターン発生器５２２の出力とメモリバッファ５２４の出力とから１つを選択して、ＸＣ部５２６に接続する。ＸＣ部５２６は、ｎ台のセレクタ５２５の出力をｎ台のパケット識別部Ｂ５２８のいずれかの入力と接続する。
【００３３】
切替前セレクタ５２５−１はルート「１」が選択されており、入力信号１は、パケット識別部Ａ５２１−１に入力され、クロスコネクト部５２６を介して、パケット識別部Ｂ５２８−１を通過し、出力信号１として出力される。一方、ルート「３」を通る信号は、デスタッフ処理部５２３によりＩＦＧ長を１２ＢＹＴＥから１０ＢＹＴＥといったように抜き取りを行うデスタッフ処理がなされ、メモリバッファ５２４に蓄えられる、ただし、ルート「３」を通る信号はセレクタ５２５によって選択されていないので、メモリバッファ５２４から読み出されることはない。
【００３４】
ここで、各パケット識別部Ａ５２１と各セレクタ５２５は十分遅延時間が小さいものとし、パケット識別部Ａ５２１での信号状態とセレクタでの信号状態は同一であるものとする。
【００３５】
入力信号１に何らかの障害が発生したとする。このとき、ネットワークを運営している監視システムより切替命令が出され、無瞬断ギガビットイーサＡＤＭ５００に切替設定信号が入力される。
【００３６】
初めに切替制御部５２７からの制御により、パケット識別部Ａ５２１−１は、通過している信号がパケットであるかＩＦＧであるかを確認する。ＩＦＧは、一般的には１２バイトである。ＩＦＧは、先頭バイトが「／Ｉ１／」のとき、続く１１バイトは「／Ｉ２／」である。また、ＩＦＧは、先頭バイトが「／Ｉ２／」のとき、続く１１バイトも「／Ｉ２／」である。したがって、パケット識別部Ａ５２１−１は、「／Ｉ２／」を発見したとき、ＩＦＧであると判定すればよい。伝送方路の切替時、少なくとも先頭バイトは通過されているので、ＲＤは保存される。
【００３７】
パケット識別部Ａ５２１−１は、信号状態がパケットであるならば、信号状態がＩＦＧとなるまで待機する。パケット識別部Ａ５２１−１でのＩＦＧの検出をトリガとして、セレクタ５２５はルート「２」に切替を実施する。次に、切替制御部５２７の制御により、パケット識別部Ｂ５２８−１は、信号状態がパケットであるかＩＦＧであるかの確認を実施する。パケット識別部Ｂ５２８−１とパケット識別部Ａ５２１−１の遅延により、パケット識別部Ｂ５２８−１でパケットを検出した場合、パケット識別部Ｂ５２８−１は、信号状態がＩＦＧとなるまで待機する。パケット識別部Ｂ５２８−１にて信号状態がＩＦＧであることが確認されたとき、クロスコネクト部５２６は、入力信号１が出力信号１として出力される方路から入力信号Ｎが出力信号１として出力される方路に伝送方路の切替を実施する。
【００３８】
切替と同時に、セレクタ５２５-Ｎは、ルート「６」を選択する。ルート「６」を選択したことにより、メモリバッファ５２４−Ｎに蓄えられていたデータはクロスコネクト部５２６を介して、出力信号１として出力される。この際のメモリバッファ５２４−Ｎに蓄えられていたデータはデスタッフ処理がされているため、本来の切り替え前の信号よりもＩＦＧ部が短い。そのため、ルート「６」を通るパケットとルート「４」を通るパケットの遅延時間が縮まることとなり、セレクタ５２５-Ｎの入力部にてルート「４」とルート「６」を通るパケットの最後尾の位相を一致させることができる。切替制御部５２７は、ルート「４」とルート「６」を通るパケットの最初のビットの位相が一致したときに、セレクタ５２５−Ｎを制御して、ルート「６」からルート「４」を選択させ、切替を完了する。
【００３９】
この信号切替プロセスについて、図４を参照して説明する。ここで、図４は信号切替プロセスを説明する図である。図４において、図４（ａ）は切替なし時のデータ列、図４（ｂ）は切替あり時のデータ列を表し、図中右が先頭である。図４（ｂ）において、矢印Ａで示すＩＦＧ２の先頭で、ルート「１」からルート「２」に切り替わり、ＩＦＧ長は拡張されている。また、矢印Ｂでルート「２」からルート「６」に切り替わり、ＩＦＧ３とＩＦＧ４でＩＦＧ長が短縮されている。さらに矢印Ｃでルート「６」からルート「４」に切り替える。この結果、切替ありのデータ列（図４（ｂ））と、切替なしのデータ列（図４（ａ）のタイミングが一致している。
【００４０】
図５を参照して、信号切替のフローを説明する。ここで、図５は信号切替のフローチャートである。図５において、ギガビットイーサＡＤＭ５００は、現用系のパケット識別部Ａで信号がパケットであるか判定する（Ｓ４０１）。ＹＥＳのとき、ギガビットイーサＡＤＭ５００は、ステップ４０１にもどり、ＮＯ（ＩＦＧ）のとき、ルート「２」を選択する（Ｓ４０２）。ギガビットイーサＡＤＭ５００は、現用系のパケット識別部Ｂで信号がパケットであるか判定する（Ｓ４０３）。ＹＥＳのとき、ギガビットイーサＡＤＭ５００は、ステップ４０３にもどり、ＮＯ（ＩＦＧ）のとき、伝送方路を切り替え（Ｓ４０４）、ルート「６」を選択する（Ｓ４０６）。ギガビットイーサＡＤＭ５００は、予備系のセレクタ入力部でルート「４」と「６」のパケット最終尾の位相が一致したか判定する（Ｓ４０７）。ＮＯのとき、ギガビットイーサＡＤＭ５００は、ステップ４０７に戻る。ステップ４０７でＹＥＳのとき、ギガビットイーサＡＤＭ５００は、予備系のセレクタ５２５でルート「４」を選択し（Ｓ４０８）、終了する。
【００４１】
本実施例に拠れば、８Ｂ／１０Ｂ信号をＭＡＣフレームに復号することなく（無終端）、無瞬断による伝送方路の切替が実行できる。
【図面の簡単な説明】
【００４２】
【図１】ネットワークのハードウェアブロック図である。
【図２】ギガビットイーサＡＤＭのハードウェアブロック図である。
【図３】無瞬断切替装置のハードウェアブロック図である。
【図４】切り替えの無い場合と切り替えのある場合の受信装置が受けるギガビットイーサ信号を模式的に表した図である。
【図５】無瞬断切り替えの実行プロセスのフローチャートである。
【符号の説明】
【００４３】
１００…局舎、２００…伝送装置、３００…ユーザ装置、５００…ギガビットイーサＡＤＭ、５１０…Ｃｌｉｅｎｔ側光モジュール、５２０…無瞬断切替装置、５２１…パケット識別部Ａ、５２２…ＩＦＧパターン発生器、５２３…デスタッフ処理部、５２４…メモリバッファ、５２５…セレクタ、５２６…クロスコネクト（ＸＣ）部、５２７…切替制御部、５２８…パケット識別部Ｂ、５３０…伝送フレーム変換部、５４０…時分割多重部、５５０…時分割分離部、５６０…Ｌｉｎｅ側光モジュール、１０００…ネットワーク。
【図１】
0005357436.tif 000002
【図２】
0005357436.tif 000003
【図３】
0005357436.tif 000004
【図４】
0005357436.tif 000005
【図５】
0005357436.tif 000006